【手続補正書】
【提出日】平成26年9月18日(2014.9.18)
【手続補正１】
【補正対象書類名】特許請求の範囲
【補正対象項目名】全文
【補正方法】変更
【補正の内容】
【特許請求の範囲】
【請求項１】
搬送路に沿って媒体を搬送する搬送部と、
前記搬送路に配置され、前記搬送部により搬送方向に搬送される前記媒体の記録領域に記録を行う記録部と、
前記搬送路の前記記録部の下流に配置され、前記搬送部により前記搬送方向に搬送される前記媒体を読み取る読取部と、
前記搬送路の前記読取部の上流に配置され、前記媒体を検出するセンサーと、
前記搬送部、前記記録部、及び、前記読取部を制御する処理制御部と、を備え、
前記処理制御部は、
前記読取部による前記媒体の読み取り後、前記記録部による前記媒体への記録を行う場合、
前記読取部による読み取りが終了した前記媒体を前記搬送方向の逆方向へ搬送し、前記媒体の後端を前記センサーにより検出することによって前記媒体の位置を管理し、少なくとも、前記媒体の記録領域の先端が前記記録部による記録位置の上流に位置するまで前記媒体を前記逆方向に搬送し、その後、前記搬送部により前記媒体を前記搬送方向に搬送すると共に、前記記録部により記録を行わせることを特徴とする媒体処理装置。
【請求項２】
前記記録部は、
前記搬送方向に交差する方向であるノズル列方向に延在するノズル列を有するインクジェットヘッドを備え、前記インクジェットヘッドから、前記搬送方向に搬送される前記媒体にインクを吐出させて、前記媒体の前記ノズル列方向に延在するノズル列に対応する範囲に画像を記録可能であることを特徴とする請求項１に記載の媒体処理装置。
【請求項３】
前記処理制御部は、
前記媒体を前記逆方向に搬送する際、前記逆方向に搬送後、前記搬送方向への搬送を開始してから、搬送速度が前記一定の速度となるまでの加速に必要な距離以上、前記媒体を前記逆方向に搬送することを特徴とする請求項２に記載の媒体処理装置。
【請求項４】
搬送路に沿って媒体を搬送する搬送部と、
前記搬送路に配置され、前記搬送部により搬送方向に搬送される前記媒体の記録領域に記録を行う記録部と、
前記搬送路の前記記録部の下流に配置され、前記搬送部により前記搬送方向に搬送される前記媒体を読み取る読取部と、
前記搬送路の前記前記読取部の上流に配置され、前記媒体を検出するセンサーと、を備える媒体処理装置の制御方法であって、
前記読取部による前記媒体の読み取り後、前記記録部による前記媒体への記録を行う場合、
前記読取部による読み取りが終了した前記媒体を前記搬送方向の逆方向へ搬送し、前記媒体の後端を前記センサーにより検出することによって前記媒体の位置を管理し、少なくとも、前記媒体の記録領域の先端が前記記録部による記録位置の上流に位置するまで前記媒体を前記逆方向に搬送し、その後、前記搬送部により前記媒体を前記搬送方向に搬送すると共に、前記記録部により記録することを特徴とする媒体処理装置の制御方法。
【請求項５】
搬送路に沿って媒体を搬送する搬送部と、
前記搬送路に配置され、前記搬送部により搬送方向に搬送される前記媒体の記録領域に記録を行う記録部と、
前記搬送路の前記記録部の下流に配置され、前記搬送部により前記搬送方向に搬送される前記媒体を読み取る読取部と、
前記搬送路の前記前記読取部の上流に配置され、前記媒体を検出するセンサーと、を備える媒体処理装置の各部を制御する制御部により実行されるプログラムであって、
前記制御部を、
前記読取部による前記媒体の読み取り後、前記記録部による前記媒体への記録を行う場合、
前記読取部による読み取りが終了した前記媒体を前記搬送方向の逆方向へ搬送を開始し、前記媒体の後端を前記センサーにより検出することによって前記媒体の位置を管理し、少なくとも、前記媒体の記録領域の先端が前記記録部による記録位置の上流に位置するまで前記媒体を前記逆方向に搬送し、その後、前記搬送部により前記媒体を前記搬送方向に搬送すると共に、前記記録部により記録を行わせる処理制御部として機能させることを特徴とするプログラム。
【手続補正２】
【補正対象書類名】明細書
【補正対象項目名】０００５
【補正方法】変更
【補正の内容】
【０００５】
上記目的を達成するために、本発明は、搬送路に沿って媒体を搬送する搬送部と、前記搬送路に配置され、前記搬送部により搬送方向に搬送される前記媒体の記録領域に記録を行う記録部と、前記搬送路の前記記録部の下流に配置され、前記搬送部により前記搬送方向に搬送される前記媒体を読み取る読取部と、前記搬送路の前記読取部の上流に配置され、前記媒体を検出するセンサーと、前記搬送部、前記記録部、及び、前記読取部を制御する処理制御部と、を備え、前記処理制御部は、前記読取部による前記媒体の読み取り後、前記記録部による前記媒体への記録を行う場合、前記読取部による読み取りが終了した前記媒体を前記搬送方向の逆方向へ搬送し、前記媒体の後端を前記センサーにより検出することによって前記媒体の位置を管理し、少なくとも、前記媒体の記録領域の先端が前記記録部による記録位置の上流に位置するまで前記媒体を前記逆方向に搬送し、その後、前記搬送部により前記媒体を前記搬送方向に搬送すると共に、前記記録部により記録を行わせることを特徴とする。
この構成によれば、読取部による媒体の読み取り後、記録部による媒体への記録を行う場合、読取部による読み取りが終了した状態の媒体の搬送方向と逆方向への搬送（以下、適宜「バックフィード」と表現する。）を開始し、バックフィードされる媒体の後端をセンサーにより検出することによって媒体の位置を管理し、少なくとも、媒体における記録領域の先端が記録部による記録位置の上流側に位置するまで媒体をバックフィードする。このように、バックフィード時に、媒体における記録領域の先端が記録部による記録位置の上流側に位置するまでバックフィードする構成のため、バックフィード時の搬送量が、記録部により媒体に記録するために必要な最小限の搬送量となり、処理効率が向上する。さらに、バックフィード時に、媒体が向かう方向側の端である後端の位置を検出して、媒体の位置を管理する構成のため、後端の位置検出後、媒体の後端と媒体の記録領域の先端との距離を踏まえた所定量だけ媒体をバックフィードさせる、という単純な動作で、媒体の記録領域の先端が記録部による記録位置の上流側に位置するまで媒体をバックフィードさせることが可能となり、処理効率が向上する。そして、上記構成によれば、バックフィード後、媒体を搬送方向に搬送して記録部による記録を行うため、上述したように効率的なバックフィードを実現した上で、媒体の光学的な読み取り後、媒体への記録を行うことができる。
さらに、バックフィードに際し、媒体の全体が、記録部の記録位置の上流に位置するようにすることも考えられるが、搬送路の構造上、媒体のバックフィード時の搬送量に限界がある場合がある。しかしながら、上記構成によれば、バックフィード時の搬送量が必要最小限となるため、媒体のバックフィード時の搬送量に限界がある場合であっても、高い確率で、読み取り後の記録のために必要なバックフィードを行うことが可能となる。
【手続補正３】
【補正対象書類名】明細書
【補正対象項目名】０００６
【補正方法】変更
【補正の内容】
【０００６】
また、本発明は、前記記録部は、前記搬送方向に交差する方向であるノズル列方向に延在するノズル列を有するインクジェットヘッドを備え、前記インクジェットヘッドから、前記搬送方向に搬送される前記媒体にインクを吐出させて、前記媒体の前記ノズル列方向に延在するノズル列に対応する範囲に画像を記録可能であることを特徴とする。
この構成によれば、媒体のノズル方向の広い範囲に画像を記録可能であるため、媒体のノズル列方向の狭い範囲に画像を記録可能なものと比較して、同一の情報を記録した場合に、当該情報を、搬送方向におけるより狭い範囲で記録可能である。従って、媒体における記録領域の先端と、媒体の後端との距離をより短くすることができ、バックフィードする際に、バックフィード時の搬送量をより短くし、バックフィードに係る作業をより効率化できる。
【手続補正４】
【補正対象書類名】明細書
【補正対象項目名】０００８
【補正方法】変更
【補正の内容】
【０００８】
また、上記目的を達成するために、本発明は、搬送路に沿って媒体を搬送する搬送部と、前記搬送路に配置され、前記搬送部により搬送方向に搬送される前記媒体の記録領域に記録を行う記録部と、前記搬送路の前記記録部の下流に配置され、前記搬送部により前記搬送方向に搬送される前記媒体を読み取る読取部と、前記搬送路の前記前記読取部の上流に配置され、前記媒体を検出するセンサーと、を備える媒体処理装置の制御方法であって、前記読取部による前記媒体の読み取り後、前記記録部による前記媒体への記録を行う場合、前記読取部による読み取りが終了した前記媒体を前記搬送方向の逆方向へ搬送し、前記媒体の後端を前記センサーにより検出することによって前記媒体の位置を管理し、少なくとも、前記媒体の記録領域の先端が前記記録部による記録位置の上流に位置するまで前記媒体を前記逆方向に搬送し、その後、前記搬送部により前記媒体を前記搬送方向に搬送すると共に、前記記録部により記録することを特徴とする。
この制御方法によれば、読取部による媒体の読み取り後、記録部による媒体への記録を行う場合、読取部による読み取りが終了した状態の媒体のバックフィードを開始し、バックフィードされる媒体の後端をセンサーにより検出することによって媒体の位置を管理し、少なくとも、媒体における記録領域の先端が記録部による記録位置の上流側に位置するまで媒体をバックフィードする。このように、バックフィード時に、媒体における記録領域の先端が記録部による記録位置の上流側に位置するまでバックフィードする構成のため、バックフィード時の搬送量が、記録部により媒体に記録するために必要な最小限の搬送量となり、処理効率が向上する。さらに、バックフィード時に、媒体が向かう方向側の端である後端の位置を検出して、媒体の位置を管理する構成のため、後端の位置検出後、媒体の後端と媒体の記録領域の先端との距離を踏まえた所定量だけ媒体をバックフィードさせる、という単純な動作で、媒体の記録領域の先端が記録部による記録位置の上流側に位置するまで媒体をバックフィードさせることが可能となり、処理効率が向上する。そして、上記構成によれば、バックフィード後、媒体を搬送方向に搬送して記録部による記録を行うため、上述したように効率的なバックフィードを実現した上で、媒体の光学的な読み取り後、媒体への記録を行うことができる。
【手続補正５】
【補正対象書類名】明細書
【補正対象項目名】０００９
【補正方法】変更
【補正の内容】
【０００９】
また、上記目的を達成するために、本発明は、搬送路に沿って媒体を搬送する搬送部と、前記搬送路に配置され、前記搬送部により搬送方向に搬送される前記媒体の記録領域に記録を行う記録部と、前記搬送路の前記記録部の下流に配置され、前記搬送部により前記搬送方向に搬送される前記媒体を読み取る読取部と、前記搬送路の前記前記読取部の上流に配置され、前記媒体を検出するセンサーと、を備える媒体処理装置の各部を制御する制御部により実行されるプログラムであって、前記制御部を、前記読取部による前記媒体の読み取り後、前記記録部による前記媒体への記録を行う場合、前記読取部による読み取りが終了した前記媒体を前記搬送方向の逆方向へ搬送を開始し、前記媒体の後端を前記センサーにより検出することによって前記媒体の位置を管理し、少なくとも、前記媒体の記録領域の先端が前記記録部による記録位置の上流に位置するまで前記媒体を前記逆方向に搬送し、その後、前記搬送部により前記媒体を前記搬送方向に搬送すると共に、前記記録部により記録を行わせる処理制御部として機能させることを特徴とする。
このプログラムを実行すれば、読取部による媒体の読み取り後、記録部による媒体への記録を行う場合、読取部による読み取りが終了した状態の媒体のバックフィードを開始し、バックフィードされる媒体の後端をセンサーにより検出することによって媒体の位置を管理し、少なくとも、媒体における記録領域の先端が記録部による記録位置の上流側に位置するまで媒体をバックフィードする。このように、バックフィード時に、媒体における記録領域の先端が記録部による記録位置の上流側に位置するまでバックフィードする構成のため、バックフィード時の搬送量が、記録部により媒体に記録するために必要な最小限の搬送量となり、処理効率が向上する。さらに、バックフィード時に、媒体が向かう方向側の端である後端の位置を検出して、媒体の位置を管理する構成のため、後端の位置検出後、媒体の後端と媒体の記録領域の先端との距離を踏まえた所定量だけ媒体をバックフィードさせる、という単純な動作で、媒体の記録領域の先端が記録部による記録位置の上流側に位置するまで媒体をバックフィードさせることが可能となり、処理効率が向上する。そして、上記構成によれば、バックフィード後、媒体を搬送方向に搬送して記録部による記録を行うため、上述したように効率的なバックフィードを実現した上で、媒体の光学的な読み取り後、媒体への記録を行うことができる。